(57)【要約】【課題】着用が容易であるとともに、蒸（む）れを防止し皮膚疾患を予防することができる男性用機能性パンツを提供する。【解決手段】パンツ本体１１２の前方には、パンツ１００を着用した状態で陰茎及び陰嚢をそれぞれ別個に根元まで収納する第１の袋部１２０及び第２の袋部１２４が備えられる。パンツ本体１１２には、これら袋部１２０，１２４の入口をそれぞれ囲むように、シリコーン樹脂テープ１２２ａ、１２６ａが挿入されたバンド１２２、１２６が取り付けられる。パンツ１００を左右に等分する断面においては、第１の袋部１２０内に第２の袋部１２４が位置し、パンツ１００内部から前方を見た場合（図３）、第１の袋部１２０が第２の袋部１２４により、下方及び左右から囲まれる。また、第２の袋部１２４の入口は、第１のバンド１２２のＵ字状部分と、Ｕ字状の第２のバンド１２６とにより囲まれる。【選択図】図２
2014205946.tif 000002
【特許請求の範囲】
【請求項１】
布地からなるパンツ本体（１１２）を備え、前記パンツ本体（１１２）の上端部の周縁面には、伸縮バンド（１１６）を縫い付け、男性の尻と性器が入る入口（１１４）と、下側の両端部に脚を挿入可能にする孔（１１８）とが、それぞれ形成された通常の機能性パンツ（１００）において、
前記パンツ本体（１１２）の前方には、パンツを着用した際に陰茎がその根元まで収納される第１の袋部（１２０）が備えられ、
前記第１の袋部（１２０）の下側には、陰茎と完全に分離されて陰嚢がその根元まで収納される第２の袋部（１２４）が備えられ、
前記第１の袋部（１２０）の入口を囲むように、パンツ本体（１１２）に第１のバンド（１２２）が取り付けられ、パンツ本体（１１２）における前記第２の袋部（１２４）の入口を下方及び左右から囲む箇所には、第２のバンド（１２６）が取り付けられ、
前記第１及び第２のバンド（１２２、１２６）の内部には、弾性樹脂テープ（１２２ａ、１２６ａ）が挿入されていることを特徴とする男性用機能性パンツ。
【発明の詳細な説明】
【技術分野】
【０００１】
本発明は、男性用機能性パンツに関する。より詳しくは、男性の陰茎が挿入される袋と、睾丸が挿入される袋をそれぞれ別途に構成し、また、これらの袋の周縁に伸縮可能なバンドを取り付けることにより、パンツを着用するとき、男性の陰茎と睾丸が、バンドによって、自然にそれぞれの袋に挿入されることにより、着用性がよく、活動時にも、陰茎と睾丸が袋から抜けてしまうことを防ぐことができるようにする男性用機能性パンツに関する。
【背景技術】
【０００２】
周知のとおり、男性用パンツは、三角形や四角形からなり、身体と接触する特性のため、皮膚の汚染を防止することができる柔らかくて感触に優れた材質から構成される。特に、男性の性器を構成する陰嚢（または睾丸）の場合は、陰茎とは異なり、体温よりも１〜３℃程度低い温度で、精子の生成が旺盛であるだけでなく、性欲と性機能が旺盛であるものと知られている。
【０００３】
また、陰嚢の場合、パンツを着用することにより、外部空気との接触可能性が低くなり、通気性のないパンツの特性により、常時、湿潤な状態を維持することが多く、このため、湿嚢（嚢湿；陰嚢に多くの汗が出て湿った状態となる症状。「肝経湿熱」によるとされる。）が発生し、各種の皮膚疾患の原因となり、悪臭発生の原因となる。
【０００４】
上記した問題点を解決するために、最近、多様な種類の機能性パンツが開発されて市場に出ているが、多くの構成は、遠赤外線が放出されるセラミックを陰嚢が接する部位または陰茎が位置した部位に備える構成である。このような構成により、遠赤外線の放出によって、陰嚢と陰茎の活性化を図り、湿嚢の原因を排除し、皮膚疾患を予防するとともに、悪臭を除去し、性機能の向上に寄与することができる。
【０００５】
しかし、この場合、初期は、遠赤外線の放出によって、一部効果があるものの、時間が経過し、頻繁な洗濯のため、遠赤外線の放出が少なくなり、全く放出されないことが多い。そのため、臨時の方便に過ぎず、根本的な問題の解決には役立たないということが実状である。
【０００６】
一方、大韓民国登録実用新案２０‐０３８６４６６には、通常の男性用パンツにおいて、陰嚢が外部空気と接触することにより、空気の循環によって、湿気を除去し、皮膚病の原因を除去することはもとより、悪臭を除去し、性機能の向上に寄与可能にする機能性男性用パンツが公開されている。以下、図１を参照して、先出願公開発明の技術的構成について説明する。
【０００７】
図１は、先出願公開発明による機能性男性用パンツの技術的構成を示す図である。この図１を参照すると、男性用パンツ１０は、上部にゴムバンドといった伸縮手段１１を取り付け、多様な身体に対応可能な入口１２を有するパンツ本体１４を備え、前記パンツ本体１４の下方の両側に脚を挿入可能な脚孔１５を形成して構成する。前記パンツ本体１４の中央位置に、性器が位置するように突出させて、麻布紙１６から性器袋１７を形成しており、前記麻布紙１６における性器の陰茎が位置する上側部位は、織物紙からカバー１８を形成しており、前記麻布紙１６における陰嚢が位置する下側部位のみが開放されている。
【０００８】
このような先出願公開発明は、湿嚢の原因を排除し、皮膚疾患を予防し、悪臭を除去することができるという点においては、それなりに有用なものであった。
【０００９】
しかし、上記した先出願公開発明では、麻布の特性上、外部気温の高い夏季には、麻布固有の機能を果たすものの、外部気温の低い春秋及び冬季には、麻布が切れる等の現象のため、身体を損傷させる原因を提供することとなる。また、性器袋が外部に突出し、家庭の室内において、パンツのみを着用している場合、突出する性器袋により、家族間でも、外観が良くないという様々な問題点があった。
【００１０】
特に、上記した公開発明は、男性がパンツを着用するとき、性器（すなわち、陰茎と陰嚢）を手につかんで性器袋に直接入れなければならないため、パンツを着る毎に、または大小便後の着用時に相当な不便さがあり、また、前記パンツを着て活動するとき、性器袋から陰茎や陰嚢が抜けてしまうという問題点があった。
【先行技術文献】
【特許文献】
【００１１】
【特許文献１】韓国登録実用新案２０‐０３８６４６６（「機能性男性用パンツ」、２００５年６月１６日公告）
【発明の概要】
【発明が解決しようとする課題】
【００１２】
本発明は、上記問題点に鑑みなされたものであり、その目的は、陰茎と陰嚢をそれぞれ別途の袋に挿入することにより、湿嚢等の皮膚疾患を予防することができる男性用機能性パンツを提供することにある。
【００１３】
また、本発明の他の目的は、陰茎と陰嚢が挿入される袋の周縁面にバンドをそれぞれ取り付けることにより、パンツを着用するとき、自然に陰茎と陰嚢が袋内に入るようにする男性用機能性パンツを提供することにある。
【課題を解決するための手段】
【００１４】
上述した目的を達成するために、織物材質から形成されたパンツ本体を備え、前記パンツ本体の上端部の周縁面には、伸縮バンドを裁縫処理し、男性の尻と性器が入る入口と、下側の両端部に脚を挿入可能にする孔がそれぞれ形成され、前記パンツ本体の前方には、パンツを着用したとき、陰茎が挿入される第１の袋部が形成され、前記第１の袋部の下側には、陰茎と分離され、陰嚢が挿入される第２の袋部が形成され、前記第１の袋部と第２の袋部の入口側の周縁面には、シリコン材質の第１、２のバンドがそれぞれ取り付けられることを特徴とする。
【発明の効果】
【００１５】
本発明によると、陰茎が挿入される袋と陰嚢が挿入される袋を、男性用パンツにそれぞれ取り付けることにより、湿嚢等の皮膚疾患を未然に予防することができる。それだけでなく、前記陰嚢と陰茎が挿入される袋の周縁面にバンドを取り付けることにより、パンツを着用するとき、陰茎と陰嚢がバンドによって自然に袋に挿入されるので、男性が陰嚢と陰茎を一々手でつかんで袋に入れる必要がない。
【００１６】
また、バンドによって、陰茎と陰嚢がそれぞれの袋に挿入された状態となるので、日常生活や活動中でも、陰嚢や陰茎が袋から抜けないという効果がある。特に、男性がパンツを着用するとき、陰茎と陰嚢を手でつかんで袋に入れる必要がなく、パンツを着用すると同時に、袋に自然に挿入されるので、パンツをはく毎に、または大小便をした後、パンツを着用さえすれば、陰茎と陰嚢が袋に挿入され、簡便かつ迅速にパンツを着ることができる。
【図面の簡単な説明】
【００１７】
【図１】従来の技術による機能性パンツの構成を示す図である。
【図２】本発明の好適な一実施例による男性用機能性パンツの構成について、内部が露出するように裏返して示す図（写真）である。
【図３】図２に示した男性用機能性パンツの断面（左右に等分する切断面）を示す図である。
【発明を実施するための形態】
【００１８】
以下、添付した図面に基づき、本発明の好適な実施例について詳述する。後述する詳細な説明では、上述した技術的課題を解決するために、本発明における代表的な実施例を提示する。また、本発明で提示され得る他の実施例は、本発明の構成における説明に代替する。
【００１９】
本発明では、男性用パンツに陰茎が挿入される袋と陰嚢が挿入される袋をそれぞれ別途に構成し、前記各袋の周縁面にバンド（好ましくは、シリコンバンド）を取り付けることにより、パンツを着用すると同時に、陰茎と陰嚢が自然に袋内に挿入され、簡便かつ容易に着用（すなわち、パンツを着用するとき、一々陰茎と陰嚢を手でつかんで袋内に挿入しなければならない不便さを解消している）することはもとより、湿嚢等のような皮膚疾患を予防することができる男性用機能性パンツを具現しようとする。
【００２０】
図２と図３は、本発明の好適な一実施例による男性用機能性パンツの構成を示す図である。本発明による機能性パンツ１００は、次のように形成される。すなわち、編地または織地などの布地からなるパンツ本体１１２を構成し、前記パンツ本体１１２の上端部の周縁面には、ゴムバンドといった伸縮バンド１１６を縫い付けている。そして、男性の尻と性器が入る入口１１４と、下側の両端部に脚を挿入可能な孔１１８がそれぞれ形成される。
【００２１】
一方、本発明の機能性パンツ１００には、陰茎と陰嚢をそれぞれ分離させる袋が上下に並んで形成される。具体的には、前記パンツ本体１１２の前方には、パンツを着用した際に陰茎がその根元まで挿入される第１の袋部１２０が形成され、前記第１の袋部１２０の下側には、、パンツを着用した際に陰茎と完全に分離された状態で、陰嚢が挿入される第２の袋部１２４が形成される。これらの袋部１２０，１２４のいずれも、パンツ１００の内部へと開いた入口が、パンツ１００を着用した状態で、陰茎及び陰嚢の根元部に位置する。また、ここで、前記第１の袋部１２０と第２の袋部１２４は、裁縫処理されることが好ましい。すなわち、これらの袋部１２０，１２４は、いずれもがパンツ本体１１２に縫い付けられて備えられるのが好ましい。
【００２２】
好ましい実施形態において、図３に示すように、パンツ１００を左右に等分する断面においては、第１の袋部１２０の内側に第２の袋部１２４が配置されており、また、図２に示すように、内部側から見た場合、第１の袋部１２０を第２の袋部１２４が下方及び左右の三方から囲んでいる。すなわち、左右にスペースが設けられることで、湿気が容易に拡散するように構成されている。また、好ましい一実施形態において、これらの袋部１２０，１２４は、互いに、下端部で合わさっており、また、上端部の高さも一致している。なお、これらの袋部１２０，１２４には、外側へと貫通する孔が設けられておらず、内側へのみ開いている。
【００２３】
特に、本発明では、男性が機能性パンツ１００を着用する際、陰茎及び陰嚢をそれぞれ第１の袋部１２０及び第２の袋部１２４に入れるように、一々手でつかんで入れる必要をなくすべく、パンツ本体１１２には、第１及び第２のバンド１２２，１２６が取り付けられている。すなわち、前記第１の袋部１２０の入口の周縁面に第１のバンド１２２を取り付け、前記第２の袋部１２４の入口の周縁面に第２のバンド１２６を取り付けている。図２〜３に示すように、好ましい実施形態において、第１のバンド１２２は、パンツ本体１１２上に設けられた水平方向に延びる部分と、その両端部より下方へと延びるＵ字状の部分とからなり、この水平方向部分は、さらに左右へと水平に延びている。すなわち、第１のバンド１２２の上端の水平方向部分と、その左右の延在部とが、一直線状に、パンツ本体１１２に縫い付けられており、第１のバンド１２２のＵ字状部分の上端が、この水平方向部分の両端に、縫い付けにより接続されている。
【００２４】
図２〜３に示す実施形態において、パンツ本体１１２における第１及び第２の袋部１２０、１２６の近傍が、2枚重ねの部分（クロッチ部）となっている。このクロッチ部は、正面から見て矩形状であり、パンツ本体１１２の前方中央部をなしている。そして、上記の、第１のバンド１２２の上端の水平方向部分からの左右の延在部は、クロッチ部の左右にある、垂直方向に延びる縫い付け部にまで延びている。
【００２５】
一方、第２のバンド１２６は、もっぱら、パンツ本体１１２上に設けられたＵ字状の部分からなり、第２の袋部１２４の入口は、この第２のバンド１２６と、上記の第１のバンド１２２のＵ字状部分とにより囲まれる。また、第２のバンド１２６のＵ字状の部分の上端は、第１のバンド１２２のＵ字状の部分の上端を左右から挟む位置にあり、上記の水平方向部分の延在部に、縫い付けにより接続されている。図３に示す具体例において、第１のバンド１２２のＵ字状の部分の上端と、第２のバンド１２６のＵ字状の部分の上端とが互いに接するように配置されている。ここで、前記第１、２のバンド１２２、１２６には、弾力性を有するシリコーン樹脂などのエラストマー樹脂により、伸縮性及び形態保持性が付与されているのが好ましい。好ましい実施形態において、前記第１、２のバンド１２２、１２６の内部には、いずれにも、断面が平坦なエラストマー樹脂材からなる弾性樹脂テープが配置されている。弾性樹脂テープの厚みは、好ましくは幅の１/４以下、例えば１/５〜１/２０である。一具体例において、弾力性を有するシリコーンテープ１２２ａ、１２６ａがそれぞれ挿入されている。これらシリコンテープ１２２ａ、１２６ａによって、陰茎と陰嚢が自然に第１の袋部１２０と第２の袋部１２４に挿入される。なお、場合によっては、第１のバンド１２２の水平方向部分では、弾性樹脂テープを省くこともできる。
【００２６】
弾性樹脂テープは、ウレタンエラストマー樹脂、オレフィン系エラストマー樹脂などといった、シリコーン樹脂以外のエラストマー樹脂からなるものであっても良い。このようなエラストマー樹脂からなり、特には非ジエン系のエラストマーからなるので、形態保持性が高く、安定性も高い。また、好ましい実施形態において、前記第１、２のバンド１２２、１２６は、弾性樹脂テープを布で覆ったものである。この布は、ゴム編みなどにより伸縮自在に設けることができるが、場合によっては、弾性糸などを含むものであっても良い。他方、図２に示す例において、第１のバンド１２２の上端部からの左右の延在部も、他のバンド部分と同様に構成されており、弾性樹脂テープが、伸縮性の布により覆われている。なお、好ましい実施形態において、パンツ本体１１２及び２つの袋部１２０，１２４も、適度の伸縮性を有するニット地により形成される。
【００２７】
このように前記第１、２のバンド１２２、１２６をそれぞれの第１の袋部１２０と第２の袋部１２４に取り付けると、機能性パンツ１００を着用するとき、陰茎と陰嚢が第１、２のバンド１２２、１２６に掛かるとともに、自然に前記第１の袋部１２０と第２の袋部１２４に挿入される。それだけでなく、男性の陰茎と陰嚢が袋部１２０、１２４に挿入された状態で、第１、２のバンド１２２、１２６が陰茎と陰嚢を固定させるので、袋から睾丸及び陰茎が抜けてしまう現象を防ぐ。すなわち、前記第１のバンド１２２が第１の袋部１２０に挿入された陰茎を引き締め、また、第２のバンド１２６が第２の袋部１２４に挿入された陰嚢を固定させる役割をする。
【符号の説明】
【００２８】
１００…機能性パンツ；    １１２…パンツ本体；    １１４…入口；  
１１６…ゴムバンド；      １１８…孔；            １２０…第１の袋部；  
１２２…第１のバンド；    １２４…第２の袋部；    １２６…第２のバンド
【図１】
2014205946.tif 000003
【図２】
2014205946.tif 000004
【図３】
2014205946.tif 000005